【事件の表示】
　特許第２９３８３１４号「照明装置」の特許に対する特許異議の申立てについて、次のとおり決定する。
【結　論】
　訂正を認める。
　特許第２９３８３１４号の請求項１ないし３に係る特許を維持する。
【理　由】
（１）手続の経緯
　特許第２９３８３１４号の請求項１ないし３に係る発明についての出願は、平成５年６月３０日に特許出願され、平成１１年６月１１日にその発明について特許の設定登録がなされ、その後、その特許について、長谷川孝子より特許異議の申立がなされ、取消理由通知がなされ、その指定期間内である平成１２年７月１９日に訂正請求がなされたものである。
（２）訂正の適否についての判断
　ア．特許権者は、以下の訂正を求めるものである。　
i.願書に添付した明細書【請求項１】の4行目にある「互いにほは平行な平端部」という記載を添付の訂正明細書の通り、『互いにほぼ平行な平坦部』という記載に訂正する。
ii.それに伴い、願書に添付した明細書段落番号【0008】の6行目にある「互いにほぼ平行な平端部」という記載を添付の訂正明細書の通り、『互いにほぼ平行な平坦部』という記載に訂正する。
iii.願書に添付した明細書【請求項1】の8行目にある「上記光源支持体は、上記開放された両平坦部の間から」という記載を添付の訂正明細書の通り、『上記光源ランプの両端部には、円形状断面を有する絶縁カバーが設けられ、上記光源支持体は、上記開放された両平坦部の間の開放端の前面から』という記載に訂正する。
iv.それに伴い、願書に添付した明細書段落番号【0008】の9行目にある「上記光源支持体は、上記開放された両平坦部の間から」という記載を添付の訂正明細書の通り、『上記光源ランプの両端部には、円形状断面を有する絶縁カバーが設けられ、上記光源支持体は、上記開放された両平坦部の間の開放端の前面から』という記載に訂正する。
イ．訂正の目的の適否、新規事項の有無及び拡張・変更の存否
　上記訂正事項i.及びii.は願書に添付した明細書段落番号【0020】、【0026】の記載中の「平坦部８ｂ・８ｃ」という記載に基づき、「平端部」という記載を「平坦部」と訂正するものであり、誤記の訂正に該当し、新規事項の追加に該当せず、実質的に特許請求の範囲を拡張または変更するものでもない。
　上記訂正事項iii.は、願書に添付した明細書段落番号【0019】、【0020】、【0026】及び図４の記載に基づいて、特許請求の範囲を減縮するものであり、新規事項の追加に該当せず、実質的に特許請求の範囲を拡張または変更するものでもない。
　上記訂正事項iv.は上記訂正事項iii.に伴い特許請求の範囲の記載と発明の詳細な説明の記載との整合性をとるためのものであるので、明りょうでない記載の釈明に該当し、新規事項の追加に該当せず、実質的に特許請求の範囲を拡張または変更するものでもない。
ウ．むすび
　以上のとおりであるから、上記訂正は、特許法第１２０条の４第２項及び同条第３項で準用する第１２６条第２〜３項の規定に適合するので当該訂正を認める。
（３）特許異議申立てについての判断
ア．本件発明　
　訂正明細書の請求項１乃至３に係る発明（以下、それぞれ「本件発明１」、「本件発明２」及び「本件発明３」という。）は、その特許請求の範囲の請求項１乃至３に記載された以下のとおりのものである。
「【請求項1】
　光を透過させる導光板の側端部近傍に、細管状の光源ランプが、導光板に固定される光源支持体を介し、導光板の側端部に沿って取り付けられ、上記光源支持体が、光源ランプの導光板と対向していない側に沿ったほぼ円弧状断面の曲がり部と、この曲がり部の両端が延長されて構成される互いにほぼ平行な平坦部とからなる、一方向側が開放された、光源ランプの全長を覆う形状に形成され、上記光源ランプからの光の多方向への分散を阻止して、上記導光板へ光を供給するエッジライト方式の照明装置において、
　上記光源ランプの両端部には、円形状断面を有する絶縁カバーが設けられ、　上記光源支持体は、上記開放された両平坦部の間の開放端の前面から上記光源ランプを着脱でき、しかも、装着された上記光源ランプを支持できるように、少なくとも一方の平坦部と曲がり部との境目が長手方向全域にわたりくびれた形状に形成され、かつ、バネ性を有していることを特徴とする照明装置。
　【請求項2】
　上記光源支持体の曲がり部が、光源ランプの端部に設けられた絶縁カバーの外周形状に合った形状に形成されていることを特徴とする上記請求項1記載の照明装置。
　【請求項3】
上記光源支持体の平坦部に開□部が形成され、一方、上記導光板の裏面に、上記光源支持体の開□部と相対向する部位に凸部が形成された導光板を支持する導光板支持体が設けられており、この凸部を上記光源支持体の開□部に嵌合させることで、光源支持体が導光板に着脱自在に取り付けられていることを特徴とする上記請求項1又は2記載の照明装置。」
イ．申立の理由の概要
　申立人長谷川孝子は、本件発明１および３は甲第１号証（実願平５−３３３４号（実開平６−６０８３２号）の公開実用新案公報全文明細書）に記載された考案と同一であり、特許法第２９条の２の規定により特許を受けることができず、本件発明１および２は甲第２号証（実願平５−２２７２５号（実開平６−８２６２８号）の公開実用新案公報全文明細書）に記載された考案と同一であり、特許法第２９条の２の規定により特許を受けることができず、本件発明１および２は、甲第３号証（実願平１−１０８２７１号（実開平３−４７５８４号）のマイクロフィルム）、および甲第４号証（特開昭６１−２０４６７５号公報）に基づいて当業者が容易に発明をすることができたものであり、特許法第２９条第２項の規定により特許を受けることができず、また、本件請求項１は、光源ランプの両端に絶縁カバーが装着され、絶縁カバーの外形形状が円形形状であることが記載されていないので不明確であり本件出願は、明細書の記載が特許法第３６条第第５項第２号に規定する要件を満たしておらず、結局本件請求項１乃至３に係る特許を取り消すべきと主張している。
ウ．判断
（引用刊行物）
　上記甲第１号証（実願平５−３３３４号（実開平６−６０８３２号）の公開実用新案公報全文明細書）には以下の事項が記載されている。
　【0009】段落には、図1との関連において、「24は光源用ランプで、導光板11の端面25外方に配置され、光源用ランプ24の光が導光板11の端面25から導光板11内に入射するようになっている。29はランプハウスで、例えばアルミニウム板等により構成され、光源用ランプ24を保護すると共に、光源用ランプ24の光が外部にもれないように導光板11の端面25外方で光源用ランプ24の外周を覆っている。」と記載されている。又、図1には、導光板11の端面25近傍に光源用ランプ24が配置され、この光源用ランプ24がランプハウス29を介して導光板11の端面に沿って取り付けられる構成が開示されている。又、図１には、ランプハウス29の導光板11と対向していない側に沿ったほぼ円弧状断面の曲がり部が開示されている。又、【0010】段落には、図1との関連において、「ランプハウス29の両端部31,32は、導光板11の側端部の厚み方向両側に添設されている。」と記載されている。そして、図1には、曲がり部の両端をほぼ平行に延長することにより、平坦な両端部31,32が形成されるようになっている(図5参照)。さらに、【0010】段落には、図1との関連において、「ランプハウス29の両端部31,32は、ランプハウス29の剛性及び弾性力を利用して導光板11の側端部の厚み方向両側を挟持する」と記載されており、ランプハウス29がバネ性を有していることが明示されている。又、図1や図5には、両端部31,32と曲がり部との境目を長手方向全域にわたりくびれた形状に形成する構成が明示されている。
　【0006】段落には、「ランプハウス29を導光板11に取り付ける場合、図2及び図5に示す状態から図3に示すようにランプハウス29の両端部31,32で導光板11の側端部を厚み方向両側から挟むとともに、図4に示すようにランプハウス29の両端部31,32を広げて、図1に示すように係合部33と係止部34とを係合させれぱよく、ランプハウス29を導光板11に簡単に取り付けることができる。」と記載されている。又、【0007】段落には、「また、ランプハウス29を導光板11から取り外す場合、上記取り付ける場合とは路逆の手順で取り外し作業を行えばよく、図4に示すようにランプハウス29の両端部31,32を広げて前記係合部33と係止部84との係合を外すことによって、ランプハウス29を導光板11から簡単に取り外すことができる。」と記載されている。
　上記甲第２号証（実願平５−２２７２５号（実開平６−８２６２８号）の公開実用新案公報全文明細書）には以下の事項が記載されている。
  【0002】〜【0004】段落には、図4乃至図6との関連において、「エッジライト型バックライトユニットの従来例を……導光体(1)の端面(m)に蛍光ランプ(5)が平行に保持される」と記載されている。即ち「A)光を透過させる導光板(2)の端面(m)近傍に、細管状の蛍光ランプ(5)が、導光板(2)に固定される反射体(6)を介し、導光板(2)の端面(m)に沿って取り付けられ、　B)上記反射体(6)が、蛍光ランプ(5)の導光板(2)と対向していない側に沿ったほぼ円弧状断面の反射部(6a)と、この反射部(6a)の両端が延長されて構成される互いにほぼ平行な取付座部(6b)とからなる、一方向側が開放された、蛍光ランプ(5)の全長を覆う形状に形成され、上記蛍光ランプ(5)からの光の多方向への分散を阻止して、上記導光板(2)へ光を供給するエッジライト型バックライトユニット」に相当するものが開示されている。そして反射体(6)の対向する一対の取付座部(6b)を導光体(1)の幅狭の綾部表裏面に圧着する態様が開示されている。
　図5及び図6には、反射部(6a)がスぺーサ(8)の外周形状に合った形状に形成される態様が開示されている。
　上記甲第３号証（実願平１−１０８２７１号（実開平３−４７５８４号）のマイクロフィルム）には以下の事項が記載されている。
  第3頁第11行~同頁第19行に、
「透明の導光板1の側端部近傍に、細管状の蛍光管4,4'が、導光板1に固定される金属製カバー5,5'を介し、導光板1の側端部に沿って取り付けられ、金属製カバー5,5'が、蛍光管4,4'の導光板1と対向していない側に沿った曲がり部と、この曲がり部の両端が延長されて構成される互いにほぼ平行な平坦部とからなる、一方向が開放された、蛍光管4,4'の全長を覆う形状に形成され、上記蛍光管4,4'からの光の多方向への分散を阻止して、上記導光板1へ光を供給するエッジライト式の面照明装置において、上記金属製カバー5,5'は、蛍光管4,4'を支持できるように、少なくとも一方の平坦部と曲がり部との境目が長手方向全域にわたりくびれた形状に形成されている面照明装置。」に相当するもの、および「金属製カバー5,5'の曲がり部が、蛍光管4,4'の端部に設けられたラバーソケット6の外形形状に合った形状に形成されている」こと。
　上記甲第４号証（特開昭６１−２０４６７５号公報）には以下の事項が記載されている。
　第1図及び第3頁左下欄第19行~第20行に、円弧状断面の曲がり部と、この曲がり部の両端から延出する一対の平坦部とを備えたアルミニウム板からなるリフレクター30,31が開示されている。そして、このリフレクターの平坦部と曲がり部との境目が長手方向全域にわたりくびれた形状に形成されている。
（対比・判断）
　本件発明１と甲第１および第２号証を対比すると、上記甲第１および第２号証に記載される光源支持体は、本件発明１と同様に、光源ランプを支持できるように、少なくとも一方の平坦部と曲がり部との境目が長手方向全域にわたりくびれた形状に形成され、かつ、バネ性を有しているものと認められるが、光源支持体の開放された両平坦部の間の開放端の前面から光源ランプを着脱するとは記載されていない。さらに、甲第１および第２号証には、光源支持体の開放された両平坦部の間の開放端の前面から光源ランプを着脱するために、光源ランプの両端部に、円形状断面を有する絶縁カバーを設ける点は記載されていないし、示唆もされていない。そして、この点により本件発明１は、光源ランプを光源支持体の内壁に接触させて破損させることなく光源支持体の開放端から着脱することができるという格別な効果を奏するものである。したがって、本件発明１と甲第１号証または甲第２号証記載の発明とは同一とは認められない。
　次に、本件発明１と甲第３および第４号証を比較すると、甲第３および第４号証のいずれにおいても、光源支持体の開放された両平坦部の間の開放端の前面から光源ランプを着脱するために、光源ランプの両端部に、円形状断面を有する絶縁カバーを設ける点は記載されていないし、示唆もされていない。そして、この点により本件発明１は、光源ランプを光源支持体の内壁に接触させて破損させることなく光源支持体の開放端から着脱することができるという格別な効果を奏するものである。したがって、本件発明１は甲第３号証および甲第４号証記載の発明から、当業者が容易に発明をすることができたものとは認められない。
　本件発明２は、請求項１を引用するものであり、さらに構成を限定するものであるから、上記本件発明１と同じ理由により上記甲第２号証記載の発明と同一ともいえないし、上記甲第３号証ないし第４号証記載の発明から、当業者が容易に発明をすることができたものとも認められない。
　本件発明３は、請求項１又は２を引用するものであり、さらに構成を限定するものであるから、上記本件発明１と同じ理由により上記甲第１号証記載の発明と同一とはいえない。
（記載不備について）
　本件請求項１は、訂正によって光源ランプの両端に絶縁カバーが装着され、絶縁カバーの外形形状が円形形状であることが明記されたから、異議申立人が主張する不明確な点はなく本件出願は、明細書の記載が特許法第３６条第第５項第２号に規定する要件を満たすものである。
エ．むすび
　以上のとおりであるから、特許異議申立の理由及び証拠によっては、本件発明１乃至３についての特許を取り消すことはできない。
　また、他に本件発明１乃至３についての特許を取り消すべき理由を発見しない。
　よって、結論のとおり決定する。
【異議決定日】
平成１２年８月１６日（２０００．８．１６）
【訂正の要旨】
訂正の要旨
ｉ．当初明細書【請求項１】の４行目にある「互いにほは平行な平端部」という記載を添付の訂正明細書の通り、『互いにほぼ平行な平坦部』という記載に訂正する。
ｉｉ．それに伴い、当初明細書段落番号【０００８】の６行目にある「互いにほぼ平行な平端部」という記載を添付の訂正明細書の通り、『互いにほぼ平行な平坦部』という記載に訂正する。
ｉｉｉ．当初明細書【請求項１】の８行目にある「上記光源支持体は、上記開放された両平坦部の間から」という記載を添付の訂正明細書の通り、『上記光源ランプの両端部には、円形状断面を有する絶縁カバーが設けられ、上記光源支持体は、上記開放された両平坦部の間の開放端の前面から』という記載に訂正する。
ｉｖ．それに伴い、当初明細書段落番号【０００８】の９行目にある「上記光源支持体は、上記開放された両平坦部の間から」という記載を添付の訂正明細書の通り、『上記光源ランプの両端部には、円形状断面を有する絶縁カバーが設けられ、上記光源支持体は、上記開放された両平坦部の間の開放端の前面から』という記載に訂正する。
（５４）【発明の名称】
照明装置
（５７）【特許請求の範囲】
　　　【請求項１】
　光を透過させる導光板の側端部近傍に、細管状の光源ランプが、導光板に固定される光源支持体を介し、導光板の側端部に沿って取り付けられ、上記光源支持体が、光源ランプの導光板と対向していない側に沿ったほぼ円弧状断面の曲がり部と、この曲がり部の両端が延長されて構成される互いにほぼ平行な平坦部とからなる、一方向側が開放された、光源ランプの全長を覆う形状に形成され、上記光源ランプからの光の多方向への分散を阻止して、上記導光板へ光を供給するエッジライト方式の照明装置において、
　
上記光源ランプの両端部には、円形状断面を有する絶縁カバーが設けられ、
　上記光源支持体は、上記開放された両平坦部
の間の開放端の前面
　　【請求項２】
　上記光源支持体の曲がり部が、光源ランプの端部に設けられた絶縁カバーの外周形状に合った形状に形成されていることを特徴とする上記請求項１記載の照明装置。
　　【請求項３】
　上記光源支持体の平坦部に開口部が形成され、一方、上記導光板の裏面に、上記光源支持体の開口部と相対向する部位に凸部が形成された導光板を支持する導光板支持体が設けられており、この凸部を上記光源支持体の開口部に嵌合させることで、光源支持体が導光板に着脱自在に取り付けられていることを特徴とする上記請求項１又は２記載の照明装置。
【発明の詳細な説明】
　　　【０００１】
　　【産業上の利用分野】
　本発明は、例えばラップトップパソコンや、ワードプロセッサ等の表示部に供される液晶パネルを背面側から照射するバックライト等に利用できる、光源ランプと、光源ランプからの光を透過させる導光板とを備えたエッジライト方式の照明装置に関するものである。
　　　【０００２】
　　【従来の技術】
　例えば液晶パネルを背面側から照射するバックライトは、図７に示すように、光を効率よく導くアクリル樹脂等からなる導光板３１を備えており、この導光板３１の側端部近傍に、例えば直径３ｍｍφの細管状の冷陰極管等からなる線光源（光源ランプ）３２が配され、また、上記導光板３１の裏面には、導光板３１に導かれた光を効率良く反射する反射シート３３が形成されている。そして、上記バックライトは、線光源３２からの光にて導光板３１が面光源化されることで、上面側に配される図示しない液晶パネルを効果的に照射するようになっている。
　　　【０００３】
　上記線光源３２の導光板３１への取り付けば、上記導光体３１の端部側に取り付けられた線光源支持体（光源支持体）３５を介して行われる。従来の線光源支持体３５は、図８に示すように、線光源３２を支持すると共に、線光源３２の光が多方向へ分散するのを防止し得るように、線光源３２を覆うような曲がり部３５ａと、この曲がり部３５ａの両端が延長されて構成される互いにほぼ平行な平坦部３５ｂ・３５ｂとからなる、一方向側が開放された、線光源３２の全長を覆った形状に形成されている。平坦部３５ｂ・３５ｂとの間には、上記導光板３１の厚みにほぼ応じた開放端が形成されており、曲がり部３５ａと各平坦部３５ｂとの境目は、線光源３２の径より導光板３１の厚みが薄いので折曲され、折曲部３５ｃが形成されている。
　　　【０００４】
　そして、線光源支持体３５の導光板３１への取付けは、上記開放端内に上記導光板３１の一端部を挿入して上記平坦部３５ｂ・３５ｂにて導光体３１を挟み込み、この状態で、ビス３４を使用して両端締めされることで成されている。
　　　【０００５】
　　【発明が解決しようとする課題】
　ところが、上記従来の構成においては、導光板３１と線光源３２の形状上、線光源支持体３５の開放端の幅が、線光源３２の径より小さいので、この開放端から、線光源３２をスライドさせて挿入することができず、したがって、線光源３２の線光源支持体３５内部への取り付けば、線光源支持体３５の長手方向端部に設けられた小さい開口から狭い内部空間へ線光源３２を真っ直ぐその軸方向に挿入することでなされる。このため、挿入時に、線光源３２を線光源支持体３５の内壁に接触させて破損させるという恐れがあり、作業性が悪く、作業効率の向上が図れないうえ、作業時の安全性が低く、かつ、破損による部材の浪費等により、製造コストの上昇を招来するという問題点を有している。
　　　【０００６】
　また、線光源支持体３５に線光源３２を一端から軸方向に挿入する場合は、リード線と絶縁カバーとが既に取り付けられている状態の線光源３２を挿入することはできないので、線光源３２を線光源支持体３５に挿入した後に、リード線の半田付け、絶縁カバーの嵌め込みを行わなければならない。そのため、リード線を半田付けする際の作業性が悪くなり、また、嵌め込んだ絶縁カバーが使用中に脱落し、線光源３２が破損するという恐れも有している。
　　　【０００７】
　さらに、上記従来の構成においては、線光源支持体３５と導光板３１とは、ビス３４を使用しての両端締めにて取り付けられているので、線光源３２の交換の際は、導光板３１ごと取り外す必要があり、線光源交換時の作業性が悪いという欠点も有している。
　　　【０００８】
　　【課題を解決するための手段】
　本発明の請求項１記載の照明装置は、上記課題を解決するために、光を透過させる導光板の側端部近傍に、細管状の光源ランプが、導光板に固定される光源支持体を介し、導光板の側端部に沿って取り付けられ、上記光源支持体が、光源ランプの導光板と対向していない側に沿ったほぼ円弧状断面の曲がり部と、この曲がり部の両端が延長されて構成される互いにほぼ平行な平坦部とからなる、一方向側が開放された、光源ランプの全長を覆う形状に形成され、上記光源ランプからの光の多方向への分散を阻止して、上記導光板へ光を供給するエッジライト方式の照明装置において、
上記光源ランプの両端部には、円形状断面を有する絶縁カバーが設けられ、
の開放端の前面
　　　【０００９】
　また、請求項２記載の照明装置は、上記課題を解決するために、請求項１記載の照明装置において、上記光源支持体の曲がり部が、光源ランプの端部に設けられた絶縁カバーの外周形状に合った形状に形成されていることを特徴としている。
　　　【００１０】
　また、請求項３記載の照明装置は、上記課題を解決するために、上記請求項１又は２記載の照明装置において、上記光源支持体の平坦部に開口部が形成され、一方、上記導光板の裏面に、上記光源支持体の開口部と相対向する部位に凸部が形成された導光板を支持する導光板支持体が設けられており、この凸部を上記光源支持体の開口部に嵌合させることで、光源支持体が導光板に着脱自在に取り付けられていることを特徴としている。
　　　【００１１】
　　【作用】
　上記請求項１の構成によれば、光源支持体は、バネ性を有しているので、光源支持体の平坦部と平坦部との間に形成された開放端の幅が、たとえ線光源の径より小さい場合でも、光源ランプを開放端と相対向するように平行に配し、この状態で光源ランプを水平方向にスライドさせることで、平坦部を押し広げるようにして、開放端から光源ランプを光源支持体内部に挿入することができる。これにより、従来の光源支持体の長手方向端部に設けられた小さい開口から狭い内部空間へ軸方向に真っ直ぐ挿入していた場合のように、挿入時に、光源ランプを光源支持体の内壁に接触させて破損させる等の事態を招来せず、作業効率を向上すると共に、作業時の安全性を高め、かつ、破損による部材の浪費を抑制し、ひいては、製造コストの削減が可能となる。
　　　【００１２】
　また、光源ランプを長手方向に沿った開放端から平行にスライドさせて挿入するので、既にリード線が半田付けされていると共に、絶縁カバーが取り付けられた状態の光源ランプを挿入することが可能となり、従来のように光源支持体に挿入した状態でリード線の半田付けを行う必要がなく、半田付けの作業性を向上させて作業効率を高め、これによっても製造コスト削減が図れる。さらに、従来の後から嵌め込んだ絶縁カバーに比べ、使用中に脱落したりする危険性が小さくなり、装置自体の安全性も向上させることができる。
　　　【００１３】
　そして、この場合、例えば請求項２の構成のように、上記光源支持体の曲がり部を、光源ランプの端部に設けられた絶縁カバーの外周形状に合った形状に形成することで、光源支持体のバネの復元力と、くびれ部分の引っ掛かりにより、挿入された光源ランプの絶縁カバー部分が固持されるので、絶縁カバーを支持して挿入するだけの簡単な操作で、光源ランプを光源支持体に全く接触させる恐れなく取り付けることができる。この結果、作業効率をより一層向上させ、ひいては、さらなる製造コストの削減が可能となる。
　　　【００１４】
　また、請求項３の構成のように、上記光源支持体の平坦部に開口部を形成し、一方、上記導光板の裏面には、上記光源支持体の開口部と相対向する部位に凸部が形成された導光板を支持する導光板支持体を設け、この凸部を上記光源支持体の開口部に嵌合させることで、光源支持体が導光板に着脱自在に取り付けることで、光源ランプの交換の際には、従来のように導光板ごと外すことなく、光源支持体を外すことで、光源ランプを交換することができるようになり、ランプ交換時の作業性が向上される。
　　　【００１５】
　　【実施例】
　本発明の一実施例について図１ないし図６に基づいて説明すれば、以下の通りである。
　　　【００１６】
　本実施例においては、本発明に係る照明装置として、ワードプロセッサ等の表示部を構成する液晶パネルを背面側から照射するエッジライト方式のバックライトを例示して説明する。
　　　【００１７】
　上記バックライトは、図１もしくは図２に示すように、平板状の面状光源であり、光を効率よく透過させる例えばＰＭＭＡ（ｐｏｌｙｍｅｔｈｙｌ　ｍｅｔｈａｃｒｙｌａｔｅ）等のアクリル樹脂からなる導光板２を備えた導光板ユニット１を有している。
　　　【００１８】
　上記導光板ユニット１は、導光板２と共に、この導光板２の上面側、即ち図示しない液晶パネルとの対向面側に設けられた光を拡散する例えばＰＥＴ（ｐｏｌｙｅｔｈｙｌｅｎｅ　ｔｅｒｅｐｈｔｈａｌａｔｅ）からなる拡散シート３、導光板２の下面側に設けられた効率よく光を反射させる反射シート４、及び、この反射シート４の下面に設けられ、上記導光板２の下面から所定の側端部までを囲う形状のプラスチック筐体（導光板支持体）５とからなる。このうちプラスチック筐体５における後述の線光源が配される側の端部付近には、一方側がテーパー状になった凸部５ａが複数個、端部に沿って設けられている。
　　　【００１９】
　上記導光板ユニット１の一方の側端部には、導光板２に光を供給する細管状の冷陰極管等からなる線光源（光源ランプ）７が配されており、この線光源７は、線光源支持体（光源支持体）８を介して、導光板ユニット１に取り付けられている。上記線光源７の両端部には、図示しない端子部が形成されており、この端子部に、リード線９が半田付けされ、線光源７とほぼ同軸の円筒状の絶縁カバー１０・１０が取り付けられている。
　　　【００２０】
　上記線光源支持体８は、バネ性を有しており、図３に示すように、上記絶縁カバー１０の外周形状に、その曲率が対応するほぼ円弧状断面を有する曲がり部８ａと、この曲がり部８ａの両端を延長して構成される互いにほぼ平行な平坦部８ｂ・８ｃとからなる、一方向側が開放された、線光源７全長にわたって覆う長尺状に形成されている。このように長尺状に形成し、曲がり部８ａにて、内部に配される線光源７の導光板２と対向していない側を覆うことで、線光源７からの光の多方向への分散を阻止し、導光板２へと効率よく光を供給するようになっている。
　　　【００２１】
　上記曲がり部８ａと平坦部８ｃとの境目は、長手方向全域に折曲されたくびれ部８ｄが形成されている。従来のくびれ部は、導光板の厚みより線光源の径が大きいため、必然的に発生するものであったが、本実施例のくびれ部８ｄは、導光板２の厚みに起因して設けられるものというよりも、曲がり部８ａの内側に配される線光源７の絶縁カバー１０・１０を固定するために必要な構成である。
　　　【００２２】
　上記曲がり部８ａの曲率は、上記絶縁カバー１０の外径と同じに形成されており、また、曲がり部８ａにおける長手方向の両端部側には、線光源７に設けられた絶縁カバー１０の一部と共に、リード線９を引き出すための切り欠き８ｆがそれぞれ形成されている。
　　　【００２３】
　一方、くびれ部８ｄが形成されていない側の平坦部８ｂの端部付近には、端部に沿って、複数の開口部８ｅ…が、上記の光源ユニット１のプラスチック筐体５に設けられた凸部５…と各々対応するように形成されており、これら開口部８ｅ…に、プラスチック筐体５の凸部５…が嵌め込まれることで、図１に示すように、上記線光源支持体８は、導光板ユニット１に取り付けられている。
　　　【００２４】
　このような線光源支持体８は、ＡＢＳ樹脂（Ａｃｒｙｌｏｎｉｔｒｉｌｅ　Ｂｕｔａｄｉｅｎｅ　Ｓｔｙｒｅｎｅ　Ｒｅｓｉｎ）やポリカーボネート等の樹脂を射出成型法にて加工したり、もしくは、アルミや表面処理鋼板などの金属をプレス加工することで成型され、その肉厚は、樹脂の場合０．５〜０．８ｍｍで、金属の場合は、０．３〜０．５ｍｍに形成される。
　　　【００２５】
　また、具体的数値を例示すると、線光源７の外径が３ｍｍφで、絶縁カバー１０・１０の円形部分の肉厚が０．５ｍｍの場合、線光源支持体８の曲がり部の半径は、２．１ｍｍに設計される。
　　　【００２６】
　ここで、上記線光源支持体８内部へ、線光源７を取り付ける際の動作を図４に基づいて説明する。
　まず、線光源７と、線光源支持体８の平坦部８ｂ・８ｃ間の開放端とが相対向するように配する。尚、上記線光源７には、予め端部の端子部にリード線９が半田付けされると共に、絶縁カバー１０・１０が取り付けられている。次いで、治具２０を線光源７の両端部の絶縁カバー１０・１０に当接させた状態で押し進めて線光源７をスライド移動させる。そして、絶縁カバー１０・１０と、平坦部８ｂ・８ｃの各端面とが接すると、バネ性を利用して両平坦部８ｂ・８ｃを外側に押し広げるようにして線光源支持体８を拡径した開き状態に撓み変形させ、線光源７を内部に挿入させる。線光源７が内部に挿入されると、拡径した開き状態に撓み変形した線光源支持体８がバネの復元力により元の状態にもどり、線光源７は、くびれ部８ｄの効果と共に脱落することなく固定される。尚、線光源７を線光源支持体８から外す場合は、同様に、線光源７の端部側の絶縁カバー１０・１０の部分を支持しながら、今度は、両平坦部８ｂ・８ｃを内側から押し開かせるようにして取り出す。
　　　【００２７】
　次に、上記のようにして、内部に線光源７が取り付けられた線光源支持体８を、導光板ユニット１に取り付ける、及び取り外す際の動作を、図５（ａ）（ｂ）、図６（ａ）（ｂ）に基づいて説明する。
　図５（ａ）（ｂ）示すように、取り付け時は、線光源支持体８の平坦部８ｃ側を上向けにすると共に、導光板ユニット１のプラスチック筐体５側を下側にした状態で、図中矢印にて示す方向に線光源支持体８をスライド移動させ、線光源支持体８の開放端に、導光板ユニット１の所定の端部側、即ち、プラスチック筐体５にて導光板２の側端部が覆われていない端部側を挿入し、凸部５ａにて、平坦部８ｂ・８ｃを押し拡げて、拡径した開き状態に撓み変形させ、プラスチック筐体５の凸部５ａ…を、線光源支持体の平坦部８ｂに設けられた各々対応する開口部８ｅ…に嵌合させる。このとき、凸部５ａは、テーパー状に形成されているので、平坦面８ｂの端面がスムーズに凸部５ａの乗り越えることができる。これにより、線光源支持体８は導光板ユニットに取り付けられる。尚、図示してはいないが、この後、プラスチック筐体５と線光源支持体８とが、ネジにて固定される。
　　　【００２８】
　一方、取り外し時は、プラスチック筐体５と線光源支持体８とを固定しているネジを外した後、図６（ａ）（ｂ）示すように、線光源支持体８の曲がり部８ａ部分を、下方に押し下げるようにして、平坦部８ｂ・８ｃを押し拡げて、拡径した開き状態に撓み変形させて開口部８ｅから凸部５ａを抜き取り、この状態で導光板ユニット１の端部から外す。
　　　【００２９】
　以上のように、本実施例のバックライトにおける線光源支持体８は、曲がり部８ａと、この曲がり部８ａの両端が延長されて構成される互いにほぼ平行な平端部８ｂ・８ｂとからなる、一方向側が開放された、線光源７の全長を覆うと共に、くびれ部８ｄが形成され、かつ、バネ性を有しているので、光源支持体８における平坦部８ｂと８ｂとの間に形成された開放端の幅が、たとえ線光源７の径より小さい場合でも、線光源７を開放端と相対向するように平行に配し、この状態で線光源７を水平方向にスライドさせることで、平坦部８ｂを押し広げるようにして、開放端から線光源７を光源支持体８内部に挿入することができる。これにより、従来の光源支持体の長手方向端部に設けられた小さい開口から狭い内部空間へ軸方向に真っ直ぐ挿入していた場合のように、挿入時に、線光源を光源支持体の内壁に接触させて破損させる等の事態を招来せず、作業効率を向上すると共に、作業時の安全性を高め、かつ、破損による部材の浪費を抑制し、ひいては、製造コストの削減が可能となる。
　　　【００３０】
　また、軸方向にスライド移動させて挿入するようになっていないので、予めリード線や絶縁カバーを線光源７に取り付けておくことが可能で、従来のように線光源支持体に挿入した状態でリード線の半田付けを行う必要がなく、半田付けの作業性を向上し、これによっても製造コストの削減が可能となり、さらに、従来の後から嵌め込んだ絶縁カバーに比べ、使用中に脱落したりする危険性も小さくなるので、装置自体の安全性も向上させることができる。
　　　【００３１】
　そして、この場合、本実施例においては、線光源支持体８の曲がり部８ａが、線光源７の端部の絶縁カバー１０・１０の外周形状に合った形状に形成されているので、線光源支持体８のバネの復元力と、くびれ部８ｄの引っ掛かりにより、挿入された線光源７の絶縁カバー１０・１０部分が固持されるので、絶縁カバー１０・１０を支持して挿入するだけの簡単な操作で、線光源７を線光源支持体に全く接触させる恐れなく取り付けることができる。この結果、作業効率をより一層向上させ、ひいては、さらなる製造コストの削減が可能となる。
　　　【００３２】
　さらに、本実施例においては、線光源支持体８の平坦部８ｂに開口部８ｅを形成すると共に、上記導光板２の裏面に導光板を支持するプラスチック筐体５を設け、さらに、このプラスチック筐体５に凸部…を形成し、この凸部を上記光源支持体の開口部に嵌合させることで、線光源支持体８を導光板ユニット１に着脱自在に取り付けられているので、線光源７の交換の際、従来のように導光板ごと外すことなく、線光源支持体８を外すことで、線光源７を交換することができるようになり、ランプ交換時の作業性を向上できる。
　　　【００３３】
　　【発明の効果】
　本発明の請求項１記載の照明装置は、以上のように、光源支持体が、バネ性を有しているので、光源支持体の平坦部と平坦部との間に形成された開放端の幅が、たとえ線光源の径より小さい場合でも、光源ランプを開放端と相対向するように平行に配し、この状態で光源ランプを水平方向にスライドさせることで、平坦部を押し広げるようにして、開放端から光源ランプを光源支持体内部に挿入することができる。これにより、従来の光源支持体の長手方向端部に設けられた小さい開口から狭い内部空間へ軸方向に真っ直ぐ挿入していた場合のように、挿入時に、光源ランプを光源支持体の内壁に接触させて破損させる等の事態を招来せず、作業効率を向上すると共に、作業時の安全性を高め、かつ、破損による部材の浪費を抑制し、ひいては、製造コストの削減が可能となるという効果を奏する。
　　　【００３４】
　また、光源ランプを長手方向に沿った開放端から平行にスライドさせて挿入するので、既にリード線が半田付けされると共に、絶縁カバーが取り付けられた状態の光源ランプを挿入することが可能となり、従来のように光源支持体に挿入した状態でリード線の半田付けを行う必要がなく、半田付けの作業性を向上させて作業効率を高め、これによっても製造コスト削減が図れる。さらに、従来の後から嵌め込んだ絶縁カバーに比べ、使用中に脱落したりする危険性が小さくなり、装置自体の安全性も向上させることができるという効果を併せて奏する。
　　　【００３５】
　また、請求項２記載の照明装置は、以上のように、請求項１記載の照明装置において、上記光源支持体の曲がり部が、光源ランプの端部に設けられた絶縁カバーの外周形状に合った形状に形成されているので、光源支持体のバネの復元力と、くびれ部分の引っ掛かりにより、挿入された光源ランプの絶縁カバー部分が固持されるので、絶縁カバーを支持して挿入するだけの簡単な操作で、光源ランプを光源支持体に全く接触させる恐れなく取り付けることができる。この結果、作業効率をより一層向上させ、ひいては、さらなる製造コストの削減が可能となるという効果を奏する。
　　　【００３６】
　また、請求項３記載の照明装置は、以上のように、上記請求項１又は２記載の照明装置において、上記光源支持体の平坦部に開口部が形成され、一方、上記導光板の裏面に、上記光源支持体の開口部と相対向する部位に凸部が形成された導光板を支持する導光板支持体が設けられており、この凸部を上記光源支持体の開口部に嵌合させることで、光源支持体が導光板に着脱自在に取り付けられているので、光源ランプの交換の際には、従来のように導光板ごと外すことなく、光源支持体を外すことで、光源ランプを交換することができるようになり、ランプ交換時の作業性を向上できるという効果を奏する。
【図面の簡単な説明】
　　【図１】
　本発明の一実施例を示すものであり、導光板ユニットと、導光板ユニットの側端部に取り付けられた内部に線光源を支持する線光源支持体とからなるバックライトの要部の断面図である。
　　【図２】
　上記バックライトの斜視図である。
　　【図３】
　上記バックライトに備えられた線光源支持体の斜視図である。
　　【図４】
　上記バックライトの組立工程を説明するもので、線光源支持体内部に線光源を挿入する際の動作を説明する説明図である。
　　【図５】
　（ａ）（ｂ）とも、上記バックライトにおける導光板ユニットに線光源支持体を取り付ける際の動作を説明する説明図である。
　　【図６】
　（ａ）（ｂ）とも、上記バックライトにおける導光板ユニットから線光源支持体を取り外す際の動作を説明する説明図である。
　　【図７】
　従来のバックライトにおける導光板と線光源支持体の取り付け状態を示す要部の断面図である。
　　【図８】
　従来のバックライトにおける線光源支持体の斜視図である。
　　【符号の説明】
　１　　導光板ユニット
　２　　導光板
　３　　拡散シート
　４　　反射シート
　５　　プラスチック筐体（導光板支持体）
　７　　線光源（光源ランプ）
　８　　線光源支持体（光源支持体）
　８ａ　曲がり部
　８ｂ　平坦部
　８ｃ　平坦部
　８ｄ　くびれ部
　８ｅ　開口部
　８ｆ　切り欠き
　９　　リード線
１０　　絶縁カバー